(57)【要約】【課題】画像データをより確実に送受信することができる。【解決手段】送信側のファクシミリ装置２０は、伝送速度毎の、標準的なＥＱＭ（アイ品質モニタ）値の平均値及びバラツキを含む標準ＥＱＭテーブル７ａと、相手先のファクシミリ装置から受信されたＥＱＭ値の平均値及びバラツキであって、当該相手先のファクシミリ装置においてファクシミリ受信された画像データのＥＱＭ値の平均値及びバラツキとそのときの伝送速度とを宛先毎に含む宛先別ＥＱＭテーブル７ｂとを記憶するＲＡＭ７を備える。主制御部１は、別のファクシミリ送信において、宛先別ＥＱＭテーブル７ｂに記憶された、当該別のファクシミリ送信の宛先に対応するＥＱＭ値の平均値及びバラツキと伝送速度を、標準ＥＱＭテーブル７ａに記憶された標準的なＥＱＭ値の平均値及びバラツキと比較することにより伝送速度を決定するように制御する。【選択図】図１
2007235549.tif 000002
【特許請求の範囲】
【請求項１】
（ａ）伝送速度毎の、標準的なＥＱＭ（アイ品質モニタ）値を含む第１のテーブルと、
（ｂ）相手先の通信端末装置から受信されたデータであって、当該相手先の通信端末装置においてファクシミリ受信された画像データのＥＱＭ値のデータとそのときの伝送速度とを宛先毎に含む第２のテーブルとを記憶する記憶手段と、
別のファクシミリ送信において、上記第２のテーブルに記憶された、当該別のファクシミリ送信の宛先に対応するＥＱＭ値と伝送速度を、上記第１のテーブルに記憶された標準的なＥＱＭ値と比較することにより伝送速度を決定するように制御する制御手段を備えたことを特徴とする通信端末装置。
【請求項２】
上記相手先の通信端末装置においてファクシミリ受信された画像データのＥＱＭ値のデータは、上記相手先の通信端末装置からファクシミリ手順信号により送信されて受信したデータであることを特徴とする請求項１記載の通信端末装置。
【請求項３】
相手先の通信端末装置から画像データを受信するときに、当該画像データのＥＱＭ値を測定し、測定されたＥＱＭ値のデータを当該相手先の通信端末装置に送出するように制御する制御手段を備えたことを特徴とする通信端末装置。
【発明の詳細な説明】
【技術分野】
【０００１】
本発明は、例えばファクシミリ装置等の通信端末装置に関する。
【背景技術】
【０００２】
Ｇ３プロトコル機能を有し、送信開始時に相手先に応じた送出レベルを設定することができる従来例のファクシミリ装置が知られている。従来例のファクシミリ装置において、着側には、発側から送信されたＶ２１信号等に基づいてＡＧＣ値およびＥＱＭ値を含むモデム部情報を測定するＶ２１レベル測定部を有し、そのモデム部情報をＭＣＦ信号に付加して発側に送信する。また、着側から送信されたモデム部情報と着番号を記憶するメモリ部を有し、再度、同一着番号宛てに発呼送信する場合には、その着番号に対応するモデム部情報に基づき、Ｖ２１信号およびキャリア信号の送信レベル、通信速度を設定する。
【０００３】
【特許文献１】特開２００２−０９４７５７号公報。
【発明の開示】
【発明が解決しようとする課題】
【０００４】
しかしながら、上記従来例のファクシミリ装置においては、メモリ部に記憶されたモデム部情報は、画像データに基づいた回線品質情報ではないため、通信時の回線状況によっては低品質の画像データを受信する可能性があるという問題があった。
【０００５】
本発明の目的は以上の問題点を解決し、画像データをより確実に送受信することができるファクシミリ装置等の通信端末装置を提供することにある。
【課題を解決するための手段】
【０００６】
第１の発明に係る通信端末装置は、（ａ）伝送速度毎の、標準的なＥＱＭ（アイ品質モニタ）値を含む第１のテーブルと、（ｂ）相手先の通信端末装置から受信されたデータであって、当該相手先の通信端末装置においてファクシミリ受信された画像データのＥＱＭ値のデータとそのときの伝送速度とを宛先毎に含む第２のテーブルとを記憶する記憶手段と、別のファクシミリ送信において、上記第２のテーブルに記憶された、当該別のファクシミリ送信の宛先に対応するＥＱＭ値と伝送速度を、上記第１のテーブルに記憶された標準的なＥＱＭ値と比較することにより伝送速度を決定するように制御する制御手段を備えたことを特徴とする。
【０００７】
また、上記通信端末装置において、上記相手先の通信端末装置においてファクシミリ受信された画像データのＥＱＭ値のデータは、上記相手先の通信端末装置からファクシミリ手順信号により送信されて受信したデータであることを特徴とする。
【０００８】
第２の発明に係る通信端末装置は、相手先の通信端末装置から画像データを受信するときに、当該画像データのＥＱＭ値を測定し、測定されたＥＱＭ値のデータを当該相手先の通信端末装置に送出するように制御する制御手段を備えたことを特徴とする。
【発明の効果】
【０００９】
従って、本発明に係る通信端末装置によれば、画像データ受信時のＥＱＭ（アイ品質モニタ）値に基づいて通信速度を決定することによって、画像データをより確実に送信することができる。また、受信した画像データのＥＱＭ値をファクシミリ手順信号に含めて送出することによって、受信側から送信側にＥＱＭ値を容易に通知して、これにより、送信側の通信端末装置が画像データ受信時のＥＱＭ（アイ品質モニタ）値に基づいて通信速度を決定することによって、受信側の通信端末装置が画像データをより確実に受信することができる。
【発明を実施するための最良の形態】
【００１０】
以下、本発明に係る実施形態について図面を参照して説明する。なお、以下の各実施形態において、同様の構成要素については同一の符号を付している。
【００１１】
実施形態．
図１は、本発明に係る実施形態であるファクシミリ装置２０の構成を示すブロック図である。本実施形態に係る受信側のファクシミリ装置２０は、相手先のファクシミリ装置から画像データを受信するときに、当該画像データのＥＱＭ値の平均値及びバラツキを測定し、測定されたＥＱＭ値の平均値及びバラツキを当該相手先のファクシミリ装置に送出するように制御することを特徴とする。
【００１２】
また、送信側のファクシミリ装置２０は、（ａ）伝送速度毎の、標準的なＥＱＭ（アイ品質モニタ）値の平均値及びバラツキを含む標準ＥＱＭテーブル７ａと、（ｂ）相手先のファクシミリ装置から受信されたＥＱＭ値の平均値及びバラツキであって、当該相手先のファクシミリ装置においてファクシミリ受信された画像データのＥＱＭ値の平均値及びバラツキとそのときの伝送速度とを宛先毎に含む宛先別ＥＱＭテーブル７ｂとを記憶するＲＡＭ７を備え、主制御部１は、別のファクシミリ送信において、宛先別ＥＱＭテーブル７ｂに記憶された、当該別のファクシミリ送信の宛先に対応するＥＱＭ値の平均値及びバラツキと伝送速度を、標準ＥＱＭテーブル７ａに記憶された標準的なＥＱＭ値の平均値及びバラツキと比較することにより伝送速度を決定するように制御することを特徴とする。ここで、上記相手先のファクシミリ装置においてファクシミリ受信された画像データのＥＱＭ値の平均値及びバラツキは、上記相手先のファクシミリ装置からＭＣＦ信号（メッセージ確認信号）により送信されて受信したデータである。
【００１３】
図１において、ファクシミリ装置２０は、主制御部（ＣＰＵ）１と、画像読取部２と、画像記録部３と、表示部４と、操作部５と、ＲＯＭ６と、ＲＡＭ７と、画像メモリ８と、ファックスモデム１０と、ＮＣＵ（ネットワーク制御回路：Network Control Unit）１１と、ＬＡＮインターフェース回路１２とを備えて構成され、上記各構成要素１乃至１２は、バス１３を介して互いに接続されている。ＮＣＵ１１は、公衆電話回線Ｌを介して相手先のファクシミリ装置と接続されている。
【００１４】
ファクシミリ装置２０は、従来のＧ３方式等のファクシミリ通信機能を備える。主制御部１は具体的にはＣＰＵ（中央処理装置：Central Processing Unit）で構成されており、バス１３を介して以下のハードウェア各部と接続されていてそれらを制御するほか、後述する種々のソフトウェアの機能を実行する。
【００１５】
画像読取部２は、ＣＣＤ等を利用したスキャナで原稿を読み取り、白黒２値に変更したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態の表示や、送信すべき原稿のイメージデータ及び受信したイメージデータの表示を行う。
【００１６】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１７】
ＲＯＭ６は、当該ファクシミリ装置２０の動作に必要であって主制御部１によって実行される種々のソフトウェアのプログラムを予め格納し、ここで、当該プログラムは、少なくとも図４のファクシミリ送信処理及び図５のファクシミリ受信処理のプログラムのプログラムを含む。ＲＡＭ７（Random Access Memory）は、ＳＲＡＭ（Static Random Access Memory）又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ（Dynamic Random Access Memory）等で構成され、送信すべきイメージデータ又は受信したイメージデータを記憶する。なお、ＲＡＭ７及び画像メモリ８をハードディスクメモリで構成してもよい。
【００１８】
ここで、ＲＡＭ７は、図２の標準ＥＱＭテーブル７ａ、及び図３の宛先別ＥＱＭテーブル７ｂを記憶する。標準ＥＱＭテーブル７ａは、図２に示すように、伝送モード及び伝送速度毎のＥＱＭ（アイ品質モニタ：Eye Quality Monitor）値の平均値及びバラツキを格納してなる。標準ＥＱＭテーブル７ａは、各伝送モード及び伝送速度と、その伝送モード及び伝送速度において良好なファクシミリ通信がされているときの標準的なＥＱＭ値の平均値及びバラツキとを対応付けた、予めＲＡＭ７に記憶されているテーブルである。なお、ＥＱＭ値のバラツキとは、最大のＥＱＭ値と最小のＥＱＭ値との差分である。宛先別ＥＱＭテーブル７ｂは、図３に示すように、宛先毎に、ＥＱＭ値の平均値、ＥＱＭ値のバラツキ、及び伝送モード及び伝送速度を格納してなる。宛先別ＥＱＭテーブル７ｂは、ファクシミリ通信において、相手先のファクシミリ装置から送信されたＥＱＭ値の平均値及びバラツキと、そのときの伝送モード及び伝送速度とを宛先毎に対応付けて記憶される。
【００１９】
ファックスモデム１０は、ＮＣＵ１１を介して公衆電話回線Ｌに接続され、通常のファクシミリ通信用のファックスモデムの機能を有するモデムであり、ＦＳＫ信号（周波数シフトキーイング信号）として受信される発信電話番号情報のデータを復調して主制御部１に出力する。ＮＣＵ１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ＩＳＤＮ回線等のベースバンド伝送方式のデジタル回線に接続するようにしてもよい。
【００２０】
以上のように構成された本実施形態のファクシミリ装置２０は、通常のＧ３方式等のファクシミリ通信機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに複合化されて画像記録部３からハードコピーとして出力される。なお、画像メモリ８はイメージデータを必要に応じて記憶し、また逆に記憶しているイメージデータを必要に応じて出力する。
【００２１】
さらに、高速でファクシミリ通信などのデータ通信が可能なＶ．３４モードの通信手順について説明する。ファクシミリ装置などの通信端末装置でデータ通信を行う場合には半二重方式の例えばＩＴＵ−Ｔ（国際電気通信連合−電気通信標準化部門）の勧告Ｖ．１７モードの通信手順等に準拠した変復調装置を使用し、Ｇ３規格のファクシミリ通信手順でもある同勧告Ｔ．３０に規定されている手順に従って行う。また、同勧告Ｖ．３４に準拠した最大伝送速度が３３．６ｋｂｐｓの超高速の通信手順（以下、Ｖ．３４モードの通信手順という。）も実用化されており、このＶ．３４モードの通信手順では通信の開始時点及び通信実行中において、受信側でその時点の回線状況、具体的にはＳ／Ｎ（信号対雑音電力比）、帯域幅に応じて通信速度を指定することが可能であり、送信側ではそのようにして受信側で指定された通信速度で送信を行うように通信速度を変更する。なお、Ｖ．３４モードの通信手順でデータ通信を行う場合には同じく同勧告Ｖ．８通信手順で前手順を行って実際の通信速度を決定する。
【００２２】
図４は、図１のファクシミリ装置２０の主制御部１によって実行されるファクシミリ送信処理を示すフローチャートである。
【００２３】
図４のステップＳ１１において、ユーザの操作によってファクシミリ送信のイベントが発生したか否かが判断され、ＹＥＳのときはステップＳ１２に進む一方、ＮＯのときはステップＳ１１に戻って処理を繰り返す。ステップＳ１２において、オフフックした後、宛先をダイヤルすることによって画像データを送信したい宛先に発呼する。ステップＳ１３において、ＣＮＧ信号（発呼トーン）を送出し、ＣＥＤ信号（被呼局確認信号）を受信する。ステップＳ１４において、ＮＳＦ信号（非標準装置信号）及びＤＩＳ信号（デジタル識別信号）を受信し、ＴＳＩ信号（送信局識別信号）及びＤＣＳ信号（デジタル命令信号）を送信する。ステップＳ１５において、標準ＥＱＭテーブル７ａと宛先別ＥＱＭテーブル７ｂとを比較して伝送モード及び伝送速度を決定してトレーニング処理を実行する。具体的には、宛先別ＥＱＭテーブル７ｂから上記ダイヤルした宛先に対応する伝送モード及び伝送速度、並びに、ＥＱＭ値の平均値及びバラツキを読み出して、標準ＥＱＭテーブル７ａにおいて、読み出した伝送モード及び伝送速度に対応する標準的なＥＱＭ値の平均値及びバラツキを読み出す。宛先別ＥＱＭテーブル７ｂから読み出したＥＱＭ値の平均値及びバラツキが、標準ＥＱＭテーブル７ａから読み出したＥＱＭ値の平均値及びバラツキより小さいか一致する場合は、その伝送モード及び伝送速度で相手先のファクシミリ装置との通信を行う一方、標準ＥＱＭテーブル７ａから読み出したＥＱＭ値の平均値及びバラツキより大きい場合は、伝送速度を１段階下げて相手先のファクシミリ装置との通信を行う。なお、ＥＱＭ値の平均値及びバラツキはそれぞれ、値が小さいほど回線品質が良好な伝送状態を示し、値が大きいほど回線品質が劣悪な伝送状態を示す。ステップＳ１６において、ＣＦＲ信号（受信準備確認信号）を受信する。ステップＳ１７において、決定された伝送モード及び伝送速度を用いて画像データを送信する。ステップＳ１８において、ＭＣＦ信号を受信し、ＭＣＦ信号（メッセージ確認信号）内のＥＱＭデータを取り出し、当該ＥＱＭデータ、即ち、ＥＱＭ値の平均値及びバラツキと、上記画像データの送信時の伝送モード及び伝送速度とを相手先のファクシミリ装置を示す宛先と対応付けて宛先別ＥＱＭテーブル７ｂに上書き記憶する。ステップＳ１９において、次のページがあるか否かが判断され、ＹＥＳのときはステップＳ１７に戻って処理を繰り返す一方、ＮＯのときはステップＳ２０に進む。ステップＳ２０において、回線を開放し、その後、ステップＳ１１に戻って処理を繰り返す。
【００２４】
図５は、図１のファクシミリ装置２０の主制御部１によって実行されるファクシミリ受信処理を示すフローチャートである。
【００２５】
図５のステップＳ１において、着信したか否かが判断され、ＹＥＳのときはステップＳ２に進む一方、ＮＯのときはステップＳ１に戻って処理を繰り返す。ステップＳ２において、ＣＮＧ信号を受信し、ＣＥＤ信号を送出する。ステップＳ３において、ＮＳＦ信号及びＤＩＳ信号を送出し、ＴＳＩ信号及びＤＣＳ信号を受信する。ステップＳ４において、トレーニング処理を行い、ファクシミリ装置２０と相手先のファクシミリ装置との間での伝送モード及び伝送速度を決定する。ステップＳ５において、ＣＦＲ信号を送出する。ステップＳ６において、画像データを受信し、ＥＱＭをサンプリングして測定し、所定期間のＥＱＭ測定データをＲＡＭ７に一時的に記憶する。ステップＳ７において、ＥＱＭ測定データに基づいてＥＱＭの平均値及びバラツキを計算する。ステップＳ８において、計算されたＥＱＭの平均値及びバラツキを含むＥＱＭデータをＭＣＦ信号に挿入し、ＭＣＦ信号を送出する。ステップＳ９において、次のページがあるか否かが判断され、ＹＥＳのときはステップＳ６に戻って処理を繰り返す一方、ＮＯのときはステップＳ１０に進む。ステップＳ１０において、回線を開放し、その後、ステップＳ１に戻って処理を繰り返す。
【００２６】
以上説明したように、本実施形態に係る送信側のファクシミリ装置２０によれば、送信側のファクシミリ装置２０は、（ａ）伝送速度毎の、標準的なＥＱＭ（アイ品質モニタ）値の平均値及びバラツキを含む標準ＥＱＭテーブル７ａと、（ｂ）相手先のファクシミリ装置から受信されたＥＱＭ値の平均値及びバラツキであって、当該相手先のファクシミリ装置においてファクシミリ受信された画像データのＥＱＭ値の平均値及びバラツキとそのときの伝送速度とを宛先毎に含む宛先別ＥＱＭテーブル７ｂとを記憶するＲＡＭ７を備え、主制御部１は、別のファクシミリ送信において、宛先別ＥＱＭテーブル７ｂに記憶された、当該別のファクシミリ送信の宛先に対応するＥＱＭ値の平均値及びバラツキと伝送速度を、標準ＥＱＭテーブル７ａに記憶された標準的なＥＱＭ値の平均値及びバラツキと比較することにより伝送速度を決定するように制御することを特徴とする。ここで、上記相手先のファクシミリ装置においてファクシミリ受信された画像データのＥＱＭ値の平均値及びバラツキは、上記相手先のファクシミリ装置からＭＣＦ信号（メッセージ確認信号）により送信されて受信したデータである。従って、画像データ受信時のＥＱＭ（アイ品質モニタ）値に基づいて通信速度を決定することによって、画像データをより確実に送信することができる。
【００２７】
また、受信側のファクシミリ装置２０は、相手先のファクシミリ装置から画像データを受信するときに、当該画像データのＥＱＭ値の平均値及びバラツキを測定し、測定されたＥＱＭ値の平均値及びバラツキを当該相手先のファクシミリ装置に送出するように制御することを特徴とする。従って、受信した画像データのＥＱＭ値をメッセージ確認信号に含めて送出することによって、受信側から送信側にＥＱＭ値を容易に通知して、これにより、送信側のファクシミリ装置２０が画像データ受信時のＥＱＭ（アイ品質モニタ）値に基づいて通信速度を決定することによって、受信側のファクシミリ装置２０が画像データをより確実に受信することができる。
【００２８】
なお、本実施形態において、相手先のファクシミリ装置から受信された画像データのＥＱＭの平均値及びバラツキを含むＥＱＭデータは、ＭＣＦ信号に挿入されて送出されていたが、本発明はこの構成に限らず、画像データのＥＱＭの平均値及びバラツキを含むＥＱＭデータは、ＭＣＦ信号以外の他のファクシミリ手順信号に挿入又は付加されて送出されてもよい。
【産業上の利用可能性】
【００２９】
以上詳述したように、本発明に係る通信端末装置によれば、画像データ受信時のＥＱＭ（アイ品質モニタ）値に基づいて通信速度を決定することによって、画像データをより確実に送信することができる。また、受信した画像データのＥＱＭ値をファクシミリ手順信号に含めて送出することによって、受信側から送信側にＥＱＭ値を容易に通知して、これにより、画像データ受信時のＥＱＭ（アイ品質モニタ）値に基づいて通信速度を決定することによって、画像データをより確実に受信することができる。
【図面の簡単な説明】
【００３０】
【図１】本発明に係る実施形態であるファクシミリ装置２０の構成を示すブロック図である。
【図２】図１のＲＡＭ７内に格納される標準ＥＱＭテーブル７ａの一例を示す図である。
【図３】図１のＲＡＭ７内に格納される宛先別ＥＱＭテーブル７ｂの一例を示す図である。
【図４】図１のファクシミリ装置２０の主制御部１によって実行されるファクシミリ送信処理を示すフローチャートである。
【図５】図１のファクシミリ装置２０の主制御部１によって実行されるファクシミリ受信処理を示すフローチャートである。
【符号の説明】
【００３１】
１…主制御部（ＣＰＵ）、
２…画像読取部、
３…画像記録部、
４…表示部、
５…操作部、
６…ＲＯＭ、
７…ＲＡＭ、
７ａ…標準ＥＱＭテーブル、
７ｂ…宛先別ＥＱＭテーブル、
８…画像メモリ、
１０…ファックスモデム、
１１…ＮＣＵ、
１２…ＬＡＮインターフェース回路、
１３…バス、
２０…ファクシミリ装置、
Ｌ…公衆電話回線。
【図１】
2007235549.tif 000003
【図２】
2007235549.tif 000004
【図３】
2007235549.tif 000005
【図４】
2007235549.tif 000006
【図５】
2007235549.tif 000007